(57)【要約】【課題】  ウェットティッシュ等の水分を含んだ繊維シートの水分を保持しつつ、この繊維シートを容易に取出し可能な状態で携行することができる鞄を提供する。【解決手段】  前面部２０と前面部２０の後方に設けられた周壁部と周壁部の後方に設けられた後面部とからなる携行鞄１において、  前面部２０には開口部２１を設け、開口部２１には弾力性と非透水性を有するシート部材２２を開閉自在に取付け、  前面部２０の背面４０には、内部に水分を含浸した複数枚の繊維シートを包被すると共に内部の繊維シート４４を取出し可能とする取出口４３を有する非透水性素材からなる袋体４１を背面４０に弾性的に押しつける取付手段４２を設け、  取付手段４２は袋体４１の取出口４３を前面部２０の開口部２１に対面させて取付けるようにされ、前面部２０の開口部２１からシート部材２２を通して袋体４１の取出口４３から繊維シート４４を取出し可能としてなる。【選択図】図２
2011036567.tif 000002
【特許請求の範囲】
【請求項１】
前面部と、該前面部の後方に設けられた周壁部と、該周壁部の後方に設けられた後面部と、からなる携行鞄において、
該前面部には開口部を設け、該開口部には弾力性と非透水性を有するシート部材を開閉自在に取付け、
該前面部の背面には、内部に水分を含浸した複数枚の繊維シートを包被すると共に内部の該繊維シートを取出し可能とする取出口を有する非透水性素材からなる袋体を該背面に弾性的に押しつける取付手段を設け、
該取付手段は該袋体の該取出口を該前面部の該開口部に対面させて取付けるようにされ、該前面部の該開口部から該シート部材を通して該袋体の該取出口から該繊維シートを取出し可能としてなることを特徴とする携行鞄。
【請求項２】
請求項１に係る携行鞄において、
前記開口部に開閉自在に取り付けられるシート部材を該開口部の周縁に接着された複数枚のシート材から形成し、複数枚の該シート材を該開口部の中央側端縁部において相互に重ね合わせて配置してなることを特徴とする携行鞄。
【請求項３】
請求項１に係る携行鞄において、
前記開口部に開閉自在に取り付けられるシート部材を該開口部の周縁に接着された１枚のシート材から形成し、該シート材の該開口の中央部に位置する部分にスリットを形成し、該スリット部分では該シート材が相互に密着すると共に該スリットを通して指先が挿通可能としてなることを特徴とする携行鞄。
【請求項４】
請求項３に係る請求項に係る携行鞄において、
前記スリットは、その端部において端孔を有し、
前記端孔は、前記取出口の外縁部に対応する位置に位置することを特徴とする携行鞄。
【請求項５】
請求項１乃至４の何れかの請求項に係る携行鞄において、
前記前面部に開閉自在に覆い被さるフラップの内面であって該フラップと閉じたときに前記前面部に設けられた前記開口部を覆う位置に非透水性のシート片を取付けてなることを特徴とする携行鞄。
【請求項６】
請求項５の請求項に係る携行鞄において、
前記開口部を覆う位置に非透水性の前記シート片は、シリコン樹脂から形成してなることを特徴とする携行鞄。
【請求項７】
請求項１乃至６の何れかの請求項に係る携行鞄において、
前記開口部に取付ける前記シート部材は、シリコン樹脂から形成してなることを特徴とする携行鞄。
【請求項８】
請求項１乃至７の何れかの請求項に係る携行鞄において、
前記水分を含浸した繊維シートがウェットティッシュペーパーからなることを特徴とする携行鞄。
【請求項９】
請求項１乃至８の何れかの請求項に係る携行鞄において、
前記前面部と前記周壁部と前記後面部は、非透水性を有することを特徴とする携行鞄。
【発明の詳細な説明】
【技術分野】
【０００１】
本発明は手に提げたり肩や首などから吊して携行するに適した鞄に関し、より具体的にはティッシュペーパーなどの繊維シートを取出し容易な状態で携行する鞄に関するものである。
【背景技術】
【０００２】
従来よりティッシュペーパーを取出し容易な状態で携行する鞄が知られている。例えば、特許文献１には、多数のティッシュペーパーを取出口から順次取出し自在に収納したティッシュボックスを、その取出口が鞄本体部の内側面部に接するように収納し、前記取出口に接する鞄本体の側面部にティッシュペーパー取出し用の開口部を設け、この開口部を覆って上方から被さるようにフラップ部を鞄本体に設けた携行鞄が開示されている。  
この携行鞄に上記のようにティッシュボックスを収納して携行すれば、ティッシュペーパーが必要となったときには、フラップ部を持ち上げてティッシュペーパー取出し用の開口部を露出させ、その開口部からティッシュペーパーを片手で容易に取り出すことができる。
【先行技術文献】
【特許文献】
【０００３】
【特許文献１】特開２００４−６５３６８号公報
【発明の概要】
【発明が解決しようとする課題】
【０００４】
しかし、この携行鞄では、ティッシュペーパーを収納する鞄の内部と外気とがティッシュペーパー取出し用の開口部を介して常時連通している。このため、この鞄にウェットティッシュペーパー（以下、「ウエットティシュ」という）などの水分を含浸した繊維シートを収納して携帯すると、時間経過とともにこの繊維シートの水分が蒸散して外部に放出されてしまい、この繊維シートが乾燥してしまう。すなわち、利用者が、この鞄にウェットティッシュを収納して携行した場合には、ウェットティッシュを取出したときにはウェットティッシュが水分を失った状態となっている場合があり、ウェットティッシュを使用したいとの利用者のニーズには応えられない。
【０００５】
本発明はかかる従来の課題に鑑みてなされたもので、ウェットティッシュ等の水分を含んだ繊維シートの水分を保持しつつ、この繊維シートを容易に取出し可能な状態で携行することができる鞄を提供することを目的とする。
【課題を解決するための手段】
【０００６】
かかる目的を達成するために、本発明では、前面部とこの前面部の後方に設けられた周壁部とこの周壁部の後方に設けられた後面部とからなり、前記前面部に開閉自在に覆い被さるフラップ片を設けてなる携行鞄において、前記前面部には開口部を設け、この開口部には弾力性と非透水性を有するシート部材を開閉自在に取付け、前記前面部の背面には、内部に水分を含浸した複数枚の繊維シートを包被すると共に内部の繊維シートを取出し可能とする取出口を有する非透水性素材からなる袋体を前記背面に弾性的に押しつける取付手段を設け、この取付手段は前記袋体の前記取出口を前記前面部の前記開口部に対面させて取付けるようにされ、前記前面部の前記開口部から前記シート部材を通して前記袋体の取出口から繊維シートを取出し可能としてなることを特徴とするのである。
【０００７】
好ましくは、前記開口部に開閉自在に取り付けられるシート部材をこの開口部の周縁に接着された複数枚のシート材から形成し、この複数枚のシート材を前記開口部の中央側端縁部において相互に重ね合わせて配置することである。
【０００８】
また、好ましくは、前記開口部に開閉自在に取り付けられるシート部材をこの開口部の周縁に接着された１枚のシート材から形成し、このシート材の前記開口の中央部に位置する部分にスリットを形成し、このスリット部分では前記シート材が相互に密着すると共にスリットを通して指先が挿通可能としてなることである。
【０００９】
また、好ましくは、前記スリットは、その端部において端孔を有し、前記端孔は、前記取出口の外縁部に対応する位置に位置することである。
【００１０】
また、好ましくは、前記フラップの内面であってこのフラップと閉じたときに前記前面部に設けられた前記開口部を覆う位置に非透水性のシート片を取付けてなることである。
【００１１】
また、好ましくは、前記開口部を覆う位置に非透水性の前記シート片は、シリコン樹脂から形成してなることである。
【００１２】
また、好ましくは、前記開口部に取付ける前記シート部材をシリコン樹脂から形成してなることで、また、前記水分を含浸した繊維シートがウェットティッシュからなることである。
【００１３】
また、好ましくは、前記前面部と前記周壁部と前記後面部は、非透水性を有することである。
【発明の効果】
【００１４】
上記のような本発明の携行鞄では、水分を含浸した繊維シートの水分を蒸散させることなく長期間保持することができ、必要なときにこの繊維シートを容易に取出すことができる。
【図面の簡単な説明】
【００１５】
【図１】第１実施形態のウェットティッシュの携行鞄の外観を示す斜視図である。
【図２】フラップ部を開けた状態の携行鞄の外観を示す斜視図である。
【図３】携行鞄のファスナーを開いて背面側を開放して携行鞄の前面側を示す斜視図である。
【図４】携行鞄に装着された第１実施形態のウェットティッシュのみを示す斜視図。
【図５】携行鞄に装着される市販のウェットティッシュを示す斜視図。
【図６】携行鞄の開口部の変形例を示す正面図。
【発明を実施するための形態】
【００１６】
＝＝＝第１実施形態＝＝＝
この発明に係る携行鞄１は図1に示すように、前面部２０と、前面部２０の後方に位置し前面部２０の上辺に接するように設けられた上面部１０と、前面部２０の後方であって上面部１０の下方に位置し前面部２０に接するように設けられた左右側面部５０及び底面部からなる周壁部と、上面部１０及び周壁部の後方に位置し周壁部に接するように設けられた後面部とにより、ほぼ矩形の箱形に形成される。上面部１０には取っ手１１が取り付けられ、その上面部１０と前面部２０との境界部分にはフラップ３０が図1から図２の状態へと回動自在に設けられている。携行鞄１の各面部（上面部１０、前面部２０、左右側面部５０、底面部、後面部）は、ビニール等で構成され、非透水性を有する。
【００１７】
また、携行鞄１の上面部１０と左右側面部５０にはジッパー１２が連続的に設けられる。図３に示すように、ジッパー１２の操作片１３を左右側面部５０の下方に移動させて後面部を上面部１０及び左右側面部５０と分離させると、携行鞄１の内部の収納空間２が開放され、この鞄1の収納空間２内に所望の物品を収納可能となる。
【００１８】
この鞄１の前面部２０の上方には略楕円形の切欠き開口部２１が形成され、この開口部２１は前面部２０の裏側の背面４０に取り付けられた上下２枚の可撓性および弾力性を有するシリコン樹脂製シート２２ａ、２２b（「シート部材」に相当）によって閉塞されている。これらのシート２２ａ、２２ｂはそれぞれ開口部２１の半分を覆うのに十分な大きさの長方形状のシートから形成され、各シート２２ａ、２２bは開口部２１の裏側周縁に接着されている。この接着の際に両シート２２ａ、２２bの会合部は一方が他方に若干重なるようにされる。これにより、前面部２０の開口部２１は上下２枚のシリコン樹脂製シート２２ａ、２２bによって常時は密閉されているが、シリコン樹脂の可撓性および弾力性により両シート２２ａ、２２bの会合部から携行鞄１の内部に指先を差し込むことが可能であり、一方その指先を引き抜くと両シート２２ａ、２２bの会合部が元の状態に復帰して開口部２１を密閉する。
【００１９】
フラップ３０の内面には図２に示すように透明で防水性を有するシート片３１が３辺において接着されている。このシート片３１は、シリコン樹脂製であって、携行鞄１の前面部２０の開口部２１よりも大きな面積を有し、フラップ３０を図１のように閉じたときに、携行鞄１の前面部の開口部２１の全体を覆うような位置に接着されている。このシート片３１の内側には接着されていない一方の辺から名札などのカードを挿入することができる。そして、フラップ３０の図２における上方両隅部にはマグネット片３２が取り付けられている。また、携行鞄１の前面のほぼ中央の左右両側部にはフラップ３０のマグネット片３２に対応してマグネット片２３が取り付けられ、フラップ３０を図１のように閉じたときに両者のマグネット片２３，３２が吸着するようになっている。また、上記シート片３１の周囲４辺を厚肉な縁取りにしておくことにより、フラップ３０を閉じてフラップ３０がマグネット片２３，３２により上記のように吸着されたときに、シート片３１の４辺が携行鞄の開口部２１を取り囲んで密閉することができる。
【００２０】
携行鞄１の前面部２０の裏側の背面４０（前面部２０の収納空間２側の面）の上方部にはウェットティッシュ収納袋４１（「袋体」に相当）がゴムバンドのような一対のストレッチバンド４２（「取付手段」に相当）によって着脱自在に取り付けられている。ウェットティッシュ収納袋４１はその内部に収納したウェットティッシュ４４（「繊維シート」に相当）を指先でつまんで取り出せるように横長楕円形状の取出口４３が形成されており、図４に示されるようにその取出口４３が携行鞄１の前面部２０の背面４０に向いて位置している。このウェットティッシュ収納袋４１のストレッチバンド４２による取り付け位置は、その取出口４３が前記シリコン樹脂製シート２２ａ、２２bの会合部に合致する位置である。これにより、ウェットティッシュ収納袋４１はストレッチバンド４２によって携行鞄１の前面部２０の背面４０に弾性的に押しつけられるように取り付けられるとともに、ウェットティッシュ収納袋４１の取出口４３はシリコン樹脂製シート２２ａ、２２bに押しつけられて常時はその取出口４３がシリコン樹脂製シート２２ａ、２２bの会合部の周縁に密着して閉鎖されている。
【００２１】
ウェットティッシュ収納袋４１はビニール製で、その内部には複数枚のウェットティッシュ４４が取出口４３から一枚ずつ取り出せるように積層されて収納されている。この実施例におけるウェットティッシュ４４は比較的大判で、主に乳児の尻拭き用に使用されるものである。ウェットティッシュ収納袋４１の一側端部には内部を気密に密閉できるファスナー４５が取り付けられており、常時はファスナー４５を閉じておく。収納袋内にウェットティッシュ４４を補充するには、この収納袋４１をストレッチバンド４２から取り外し、このファスナー４５を開き、収納袋４１の内部に所用枚数のウェットティッシュ４４を入れ、ファスナー４５を閉じ、ストレッチバンド４２で取り外し前と同じように取り付ければよい。
【００２２】
上記のような構成により、ウェットティッシュ収納袋４１内のウェットティッシュ４４を取り出すには、図１の状態から携行鞄１のフラップ３０を図２のように持ち上げ、シリコン樹脂製シート２２ａ、２２bの会合部に指先を差し込むとそこはウェットティッシュ収納袋４１の取出口４３となっているので、その取出口４３からウェットティッシュ４４を摘み出すことができる。ウェットティッシュ４４の取出し後に指先がシリコン性樹脂製のシート２２ａ、２２bの会合部から離れると、その会合部はシリコン樹脂製シート２２ａ、２２bの弾性によって図２のような元の状態に復帰して閉じ、ウェットティッシュ収納袋４１の取出口４３を外部に対してほぼ密閉することになる。そして、フラップ３０を図１のように閉じるとフラップ３０のシート片３１によってシリコン樹脂製シート２２ａ、２２bの会合部が密閉され、フラップ３０はマグネット片２３，３２によって安定的に所定の位置に保持される。なお、シリコン樹脂で形成されるシート片３１は、シリコン樹脂製シート２２ａ、２２bとの接着性がよいので、開口部２１の密閉性を高めることができ、もってウェットティッシュ収納袋４１の保湿性を高めることができる。
【００２３】
ウェットティッシュ４４の枚数が減ってきたときには新たなウェットティッシュ４４をその収納袋４１のファスナー４５を開いて補充することができる。なお、ウエットティシュ収納袋４１はストレッチバンド４２によって携行鞄１の前面部２０の背面４０に弾性的に押しつけられているので、内部のウェットティッシュ４４の枚数が減ってきたときにも、その収納袋４１の取出口４３はシリコン樹脂製シート２２ａ、２２bに押しつけられて気密状態が保持される。
【００２４】
また、携行鞄１の各面を構成する各面部（上面部１０、前面部２０、左右側面部５０、底面部、後面部）は非透水性を有するので、ファスナー４５や取出口４３とシリコン樹脂製シート２２ａ、２２bとの密着性が低下した場合であっても、各面部が外部との連通を遮断することによって、ウェットティッシュ４４の水分が外部に放出されることを防止できる。
【００２５】
＝＝＝変形例＝＝＝
上記の実施例では前面部２０の開口部２１を開閉自在に取り付けられるシート部材として上下２枚のシリコン樹脂製シート２２ａ、２２bを用いたが、これらは左右に配設してもよいし、また両者の会合部を密着するようにして重なり合わないようにしてもよい。更に上記実施例の２枚のシートの代わりに、図６に示すように、１枚のシリコン樹脂製シート２２ａ、２２bから形成するとともにこのシート２２ａ、２２bの中央部から放射状に延びる複数のスリット４８をカミソリなどで形成してもよい。加えて、このスリット４８の端部においては、開閉によりスリット４８の裂け目が拡大することを防止するため、略円形の端孔４９を設けてもよい。なお、スリット４８は、取出口４３のスリット方向長さよりも長く、端孔４９は取出口４３の外縁部に対応する位置に位置する。すなわち、端孔４９が取出口４３に対応する位置にないことによって、ウェットティッシュ４４の水分が取出口４３及び端孔４９を介して、外部に放出されることを防止できる。
【００２６】
また、これらのシートの素材としてはシリコン樹脂の代わりに弾力性と非透水性を有する樹脂を用いることができる。
【００２７】
また、上記の実施例ではウェットティッシュ収納袋４１をビニール袋から形成し、その一側端部にファスナー４５を取り付けて内部のウェットティッシュを随時補充可能にしたが、これとは別に図５に示すように市販の一般的な使い捨てのウェットティッシュ４４の包装袋４６（「袋体」に相当）を用い、その取出口４３を密閉しているシール４７を剥離して取出口４３を露出させて、それをストレッチバンド４２で携行鞄１の前面部２０の背面４０に上記の実施例と同様に取り付けるようにしてもいい。
【００２８】
また、ストレッチバンド４２は上記実施例では平行に２本設けたが、これを広幅の１本にしてもよいし、あるいは細幅の３本以上の帯片にしてもよい。
【００２９】
また、上記の実施例では内部に水分を含浸した繊維シートとしてウェットティッシュ４４を例示したが、これ以外にメイク落し用シート、眼鏡クリーナー用シート、ガーゼ等を用いることができる。
【００３０】
また、携行鞄１には取っ手１１を示したが、これ以外に肩掛けベルトを取り付けるようにしてもよい。
【符号の説明】
【００３１】
１  携行鞄
２  収納空間
１０  上面部
１１  取っ手
１２  ジッパー
１３  操作片
２０  前面部
２１  開口部
２２  シリコン樹脂製シート
２３  マグネット片
３０  フラップ
３１  シート片
３２  マグネット片
４０  背面
４１  ウェットティッシュ収納袋
４２  ストレッチバンド
４３  取出口
４４  ウェットティッシュ
４５  ファスナー
４６  包装袋
４７  シール
４８  スリット
４９  端孔
５０  左右側面部
【図１】
2011036567.tif 000003
【図２】
2011036567.tif 000004
【図３】
2011036567.tif 000005
【図４】
2011036567.tif 000006
【図５】
2011036567.tif 000007
【図６】
2011036567.tif 000008
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
前面部と、該前面部の後方に設けられた周壁部と、該周壁部の後方に設けられた後面部と、からなる携行鞄において、
該前面部には開口部を設け、該開口部には弾力性と非透水性を有するシート部材を開閉自在に取付け、
該前面部の背面には、内部に水分を含浸した複数枚の繊維シートを包被すると共に内部の該繊維シートを取出し可能とする取出口を有する非透水性素材からなる袋体を該背面に弾性的に押しつける取付手段を設け、
該取付手段は該袋体の該取出口を該前面部の該開口部に対面させて取付けるようにされ、該前面部の該開口部から該シート部材を通して該袋体の該取出口から該繊維シートを取出し可能としてなることを特徴とする携行鞄。
【請求項２】
請求項１に係る携行鞄において、
前記開口部に開閉自在に取り付けられるシート部材を該開口部の周縁に接着された複数枚のシート材から形成し、複数枚の該シート材を該開口部の中央側端縁部において相互に重ね合わせて配置してなることを特徴とする携行鞄。
【請求項３】
請求項１に係る携行鞄において、
前記開口部に開閉自在に取り付けられるシート部材を該開口部の周縁に接着された１枚のシート材から形成し、該シート材の該開口の中央部に位置する部分にスリットを形成し、該スリット部分では該シート材が相互に密着すると共に該スリットを通して指先が挿通可能としてなることを特徴とする携行鞄。
【請求項４】
請求項３に係る携行鞄において、
前記スリットは、その端部において端孔を有し、
前記端孔は、前記取出口の外縁部に対応する位置に位置することを特徴とする携行鞄。
【請求項５】
請求項１乃至４の何れかの請求項に係る携行鞄において、
前記前面部に開閉自在に覆い被さるフラップの内面であって該フラップと閉じたときに前記前面部に設けられた前記開口部を覆う位置に非透水性のシート片を取付けてなることを特徴とする携行鞄。
【請求項６】
請求項５に係る携行鞄において、
前記開口部を覆う位置に非透水性の前記シート片は、シリコン樹脂から形成してなることを特徴とする携行鞄。
【請求項７】
請求項１乃至６の何れかの請求項に係る携行鞄において、
前記開口部に取付ける前記シート部材は、シリコン樹脂から形成してなることを特徴とする携行鞄。
【請求項８】
請求項１乃至７の何れかの請求項に係る携行鞄において、
前記水分を含浸した繊維シートがウェットティッシュペーパーからなることを特徴とする携行鞄。
【請求項９】
請求項１乃至８の何れかの請求項に係る携行鞄において、
前記前面部と前記周壁部と前記後面部は、非透水性を有することを特徴とする携行鞄。
【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
前面部と、該前面部の後方に設けられた周壁部と、該周壁部の後方に設けられた後面部と、からなる携行鞄において、
該前面部には開口部を設け、該開口部には弾力性と非透水性を有するシート部材を開閉自在に取付け、
該前面部の背面には、内部に水分を含浸した複数枚の繊維シートを包被すると共に内部の該繊維シートを取出し可能とする取出口を有する非透水性素材からなる袋体を該背面に弾性的に押しつける取付手段を設け、
該取付手段は該袋体の該取出口を該前面部の該開口部に対面させて取付けるようにされ、
該前面部の該開口部から該シート部材を通して該袋体の該取出口から該繊維シートを取出し可能であり、
前記前面部に開閉自在に覆い被さるフラップの内面であって該フラップと閉じたときに前記前面部に設けられた前記開口部を覆う位置に非透水性のシート片を取付けてなることを特徴とする携行鞄。